(57)【要約】【課題】壁・フェンス等の隔壁部にアクセントを施して、その美観を簡易に向上する。【解決手段】所望の形状・色柄等を有する化粧材１と、前記化粧材１の裏面側には、壁・フェンス等の隔壁部Ｂに取付可能な取付部２を設ける。【選択図】図１
2007138542.tif 000002
【特許請求の範囲】
【請求項１】
所望の形状・色柄等を有する化粧材と、
前記化粧材の裏面側には、壁・フェンス等の隔壁部に取付可能な取付部を設けたことを特徴とする隔壁部用化粧具。
【請求項２】
請求項１において、
取付部が、隔離部にネジ体で固定する構造にしたことを特徴とする隔壁部用化粧具。
【請求項３】
請求項１において、
取付部が、バネ板による弾性力で固定する構造にしたことを特徴とする隔壁部用化粧具。
【請求項４】
請求項１において、
取付部が、隔離部に折り曲げて固定する構造にしたことを特徴とする隔壁部用化粧具。
【請求項５】
請求項１において、
取付部が、自在バンド等で締め付けて固定する構造にしたことを特徴とする隔壁部用化粧具。
【発明の詳細な説明】
【技術分野】
【０００１】
本発明は、壁・フェンス等の隔壁部の美観を簡易に向上することができる隔壁部用化粧具に関する。
【背景技術】
【０００２】
建造物の壁・フェンス等である隔壁部は、大量生産などによってデザインが均一化された無味乾燥なものとなってきている。
【０００３】
この大量生産は、製品価格を低下できるために好ましい反面、前記隔壁部のデザイン性という点では問題がある。
【０００４】
すなわち、前記隔壁部などは、それ自体が勿論デザイン化されているのであるが、その隔壁部のデザイン自体は、工場生産された均一的なデザインに過ぎないものである。
【０００５】
そのため、個々の建造物に応じたデザインに応じて、前記隔壁部をデザイン化することは、特別品を製造するしかなく、これでは隔壁部が高額になってしまうため採用できない。
【０００６】
一方、近年のデザイン化に伴い、個々の建造物に応じたデザインに応じて、前記隔壁部をデザイン化することが要望されており、前記隔壁部に塗装したり、或いは、門柱、塀、フェンス等の強度が十分でない外構部材の外装を表面化粧するための擬石などが開発されている（例えば、特許文献１参照。）。
【特許文献１】特開２０００−８７５９８号公報
【発明の開示】
【発明が解決しようとする課題】
【０００７】
しかしながら、塗装によるデザイン化では、塗装する色を調合したり、また、描かれるデザイン模様を上手く塗装することは困難である。
【０００８】
また、擬石によるデザイン化では、前記隔壁部の全体を被覆して化粧するものであるため、その作業が困難である。
【０００９】
本発明は、かかる課題を解決することを目的とするもので、壁・フェンス等の隔壁部にアクセントを施して、その美観を簡易に向上することができる隔壁部用化粧具を提供する。
【課題を解決するための手段】
【００１０】
請求項１に係る隔壁部用化粧具は、所望の形状・色柄等を有する化粧材と、前記化粧材の裏面側には、壁・フェンス等の隔壁部に取付可能な取付部を設けたことを特徴とする。
【００１１】
請求項２に係る隔壁部用化粧具は、請求項１において、取付部が、隔離部にネジ体で固定する構造にしたことを特徴とする。
【００１２】
請求項３に係る隔壁部用化粧具は、請求項１において、取付部が、バネ板による弾性力で固定する構造にしたことを特徴とする。
【００１３】
請求項４に係る隔壁部用化粧具は、請求項１において、取付部が、隔離部に折り曲げて  固定する構造にしたことを特徴とする。
【００１４】
請求項５に係る隔壁部用化粧具は、請求項１において、取付部が、自在バンド等で締め付けて固定する構造にしたことを特徴とする。
【発明の効果】
【００１５】
本発明によれば、壁・フェンス等の隔壁部の所望位置に取付部を取付けるだけで、前記隔壁部に簡単にアクセントを施すことができ、これら壁・フェンス等の隔壁部の美観を簡易に向上することができる。
【００１６】
また、取付部は、前記隔壁部の構造に応じて、ネジ止め・挟み止め・折り曲げ・自在バンド等による締め付け等によって、簡単且つ確実に取付けできる。
【発明を実施するための最良の形態】
【００１７】
以下、本発明に係る隔壁部用化粧具を図面とともに説明する。
【実施例１】
【００１８】
図１は、本発明に係る隔壁部用化粧具Ａの一実施例を示す使用状態の斜視図であり、図２は、図１で示された隔壁部用化粧具Ａの取り付け状態を示す概略説明図である。
【００１９】
この隔壁部用化粧具Ａは、所望の形状・色柄等を有する化粧材１と、壁・フェンス等の隔壁部Ｂに取付可能な取付部２を設けてなる。
【００２０】
本実施例の隔壁部Ｂは、家屋の周囲に建造されている柵状のフェンスに隔壁部用化粧具Ａを取付ける場合を例示しているが、これに限定されるものではなく、例えば、外壁などでも良く、特に、高速道路に設置されている防音壁、歩道橋の柵等のような無機質で無味乾燥なものであれば、化粧材１によるアクセントを設けることで、その雰囲気を大きく変化できるため望ましい。
【００２１】
化粧材１は、合成樹脂製、陶器製、金属製等、隔壁部Ｂの素材や周囲の環境等に応じた様々な素材で形成することができ、また、化粧材１のデザインは、隔壁部Ｂに応じて適宜形成される。
【００２２】
本実施例では、港の近傍に建築されたフェンスである隔壁部Ｂに、船の舵をデザインした化粧材１を取付けることで、無味乾燥な隔壁部Ｂに港の雰囲気を醸し出すようにしたものであるが、そのデザインは様々である。
【００２３】
この化粧材１の裏面には、隔壁部Ｂに取付可能な取付部２を設けてなる。
【００２４】
本実施例の取付部２は、帯状に形成された２枚の金属片を、化粧材１の裏面から後方に向けて突設したものを例示しているが、この形状に限定されるものではなく、後述する図３〜図６に示す構造のものでも良く、隔壁部Ｂに応じて形成される。
【００２５】
このように構成した本発明に係る隔壁部用化粧具Ａは、図１で示すように、壁・フェンス等の隔壁部Ｂの所望の位置に向けて、取付部２の構造に合わせて固定する。
【００２６】
例えば、図１、図２で示した取付部２は、前記２枚の金属片をフェンスの１つの柵を挟むようにして貫通させ、前記柵と化粧材１を当接させた後、これら２枚の金属片を図中矢印の如く内側に各々折り曲げて、前記柵に巻き付けて固定するものである。
【００２７】
このように、本発明に係る隔壁部用化粧具Ａによれば、壁・フェンス等の隔壁部Ｂの所望位置に取付部２を折り曲げて固定するだけで、隔壁部Ｂに簡単に化粧材１のアクセントを施すことができ、これら壁・フェンス等の隔壁部Ｂの美観を簡易に向上することができる。
【実施例２】
【００２８】
図３〜図５は、本発明に係る隔壁部用化粧具Ａにおける取付部２の他の実施例を示した概略説明図である。
【００２９】
ここで、図１、２と共通する部位には同一の番号を付し、その説明は省略することとし、以下では、各実施例の特徴についてのみ説明する。
【００３０】
図３（ａ）、（ｂ）は、取付部２が、隔離部Ｂにネジで固定される構造のものを示し、図３（ａ）では、化粧材１の裏面にネジ体２１を突設し、このネジ体２１を隔離部Ｂに形成した孔部Ｂ１を通じて、ナット２２で螺合する構造にしている。
【００３１】
図３（ｂ）では、化粧材１の裏面にネジ穴２３ａが対向して開設された合わせ部材２３を突設し、この合わせ部材２３で隔離部Ｂを挟んだうえで、そのネジ穴２３ａにネジ体２１を貫通させて、ナット２２で螺合する構造にしている。
【００３２】
このような隔壁部用化粧具Ａによれば、取付部２を隔壁部Ｂにネジ止めするだけで、隔壁部Ｂに化粧材を簡易に取付けできる。
【００３３】
図４（ａ）、（ｂ）は、取付部２が、バネ板による弾性力で固定する構造のものを示し、図４（ａ）では、化粧材１の裏面に弾性を備えたバネ体２４を突設し、このバネ体２４を隔離部Ｂに挟み込んで固定する構造にしている。
【００３４】
図４（ｂ）では、化粧材１の裏面に弾性を備えた２枚のバネ体２４を突設すると共に、このバネ体２４の一部を外方に膨出させた膨出部２４ａを形成し、この膨出部２４ａを押さえながら隔離部Ｂの間に挿入し、これら膨出部２４ａの弾性復元力で隔離部Ｂ間に固定する構造にしている。
【００３５】
このような隔壁部用化粧具Ａによれば、取付部２を隔壁部Ｂに差し込むだけで、隔壁部Ｂに化粧材１を簡易に取付けできる。
【００３６】
図５（ａ）、（ｂ）は、取付部２が、自在バンド等で締め付けて固定する構造のものを示し、図５（ａ）では、帯状の自在バンド２５を化粧材１の裏面に設け、自在バンド２５の一端を、他端に設けた係止部２６に挿通させて、自在バンド２５を締め付ける構造にしている。
【００３７】
図５（ｂ）では、後端が切断された略管状の自在バンド２５を化粧材１の裏面に設け、この自在バンド２５の開放端に設けた係止部２６同士を噛合させて、自在バンド２５を締め付ける構造にしている。
【００３８】
このような隔壁部用化粧具Ａによれば、自在バンド２５を締め付けるだけで、化粧材１を確実に取付けできる。
【図面の簡単な説明】
【００３９】
【図１】本発明に係る隔壁部用化粧具Ａの一実施例を示す使用状態の斜視図である。
【図２】図１で示された隔壁部用化粧具Ａの取り付け状態を示す概略説明図である。
【図３】（ａ）、（ｂ）は、取付部２が、ネジ体２１で固定される構造のものを示した概略説明図である。
【図４】（ａ）、（ｂ）は、取付部２が、バネ板２４による弾性力で固定する構造のものを示した概略説明図である。
【図５】（ａ）、（ｂ）は、取付部２が、自在バンド２５等で締め付けて固定する構造のものを示した概略説明図である。
【符号の説明】
【００４０】
Ａ      排水口用化粧具
Ｂ      隔壁部
１      化粧材
２      取付部
２１    ネジ体
２４    バネ板
２５    自在バンド
【図１】
2007138542.tif 000003
【図２】
2007138542.tif 000004
【図３】
2007138542.tif 000005
【図４】
2007138542.tif 000006
【図５】
2007138542.tif 000007